(57)【要約】【課題】三脚雲台部のロック解除レバーを操作する際に、操作する指が取り外す電子機器と接触しないようにすることで、安全で操作性に優れた三脚に電子機器を取り付けるための装置を提供する。  【解決手段】雲台部２上部のＶ座アタッチメント部２１に固定されるＦＰＵ装置１を三脚３から取り外す際に、ロック解除レバー２１２のＢ部凹部に指を入れて回転操作を行うことになり、操作する指がロック解除レバー２１２の上方に突き出ることがなく、取り外そうとするＦＰＵ装置１の本体底部と接触する危険性はなくなる。【選択図】  図１
2009097685.tif 000002
【特許請求の範囲】
【請求項１】
電子機器の底部に取り付けたプレートと、該プレートがスライド挿入される凹部を有し、前記プレートが前記凹部にスライド挿入される際に、前記プレートの両側面と前記凹部との間で左右方向及び上下方向の動きを規制する嵌合が為されるとともに、前記プレートが前記凹部の奥まで挿入された時に前後方向の動きを規制するロック機構を備えたベースとで構成される三脚に電子機器を取り付けるための装置において、前記ベースが、前記プレートが挿入される前記凹部手前側に、軸を中心に前記ベースと平行に手前方向に回転動作することで前記ロック機構を解除するためのロック解除レバーを有するベースであって、該ロック解除レバーを指で操作する箇所が下方向のみ開放された袋形状であることを特徴とする三脚に電子機器を取り付けるための装置。
【発明の詳細な説明】
【技術分野】
【０００１】
本発明は、電子機器と組み合わせて使用する三脚雲台に関し、特に、電子機器を三脚雲台から取り外す際のロック解除レバーを備えた三脚に電子機器を取り付けるための装置に関するものである。
【背景技術】
【０００２】
従来、カメラ等の電子機器では、パン・チルト操作を安定して行うために、三脚に固定して使用することがある。また、ＦＰＵ（Field Pickup Unit）装置等の可搬型電波伝送機器は屋外での使用が大半であり、ＦＰＵ装置を運用する場合は一般的に三脚と組み合わせて使用するケースが多く見られる。
そこで、図２にＦＰＵ装置を三脚に取り付けて使用する場合の構成を示す。図２に示すように、１はＦＰＵ装置であり、２は三脚３の上部に取り付けて、ＦＰＵ装置１のパン・チルト操作を行うための雲台部２である。ＦＰＵ装置１は、雲台部２上部のＶ座アタッチメント部２１’に固定されるが、ＦＰＵ装置１の取り付け、取り外しを容易にするために、Ｖアタッチメント方式が採用されている。
Ｖアタッチメント方式とは、予めＦＰＵ装置１の本体底面にＶ座を取り付けておき、雲台２のＶ座アタッチメント部に設けたＶ形状の凹部にスライド嵌合させて固定を行う方式である。
【０００３】
そこで、Ｖアタッチメント方式でＦＰＵ装置１を雲台部２のＶ座アタッチメント部２１’に固定した場合の取り外し方について説明する。図３の（ａ）〜（ｄ）図は、従来のＶアタッチメント方式でＦＰＵ装置１を雲台部２に固定した場合の取り外し方を説明するための説明図である。ただし、図３では、取り外し方をわかり易く説明するために、ＦＰＵ装置１の本体底面に取り付けたＶ座と雲台部のＶ座アタッチメント部だけを記載し、ＦＰＵ装置１と雲台部２のＶ座アタッチメント部２１’以外の構成品は省略してある。
【０００４】
図３において、２１’は雲台部２の上部に取り付けられたＶ座アタッチメント部であり、また、１１は予めＦＰＵ装置１の本体底部に取り付けられたＶ座である。
また、２１１はＶ座アタッチメント部２１’のベースであり、２１２’はＦＰＵ装置１を三脚３の雲台部２から取り外す際のロック解除レバーであり、ロック解除レバー２１２’を手前に引くことで、ベース２１１の内部にあるカム機構により、Ｖ形状の凹部に設けられた爪２１３（２箇所）が内部に引っ込むとともに、押し出しレバー２１４が軸を中心に回転動作するようになっている。
【０００５】
次に、図３の（ａ）〜（ｄ）図に基づき、Ｖアタッチメント方式でＦＰＵ装置１を雲台部２上部のＶ座アタッチメント部２１’に固定した場合の取り外し方について説明する。
図３の（ａ）図は、ＦＰＵ装置１が雲台２上部のＶ座アタッチメント部２１’に固定された時のＶ座アタッチメント部２１’とＶ座１１の嵌合状態を示している。
そこで、図３の（ａ）図の状態で、Ｖ座アタッチメント部２１’のロック解除レバー２１２’のＤ部２箇所の切り欠き部に下方から指を引っ掛け、（ｂ）図のＥの矢印方向に向かって引っ張ることによって、図３の（ｂ）図及び（ｃ）図に示すように、Ｖ座１１の左右２ヶ所に設けた切り欠き部１１１に嵌合していたＶ座アタッチメント部２１’の２箇所の爪２１３がベース２１１の内部に引っ込むとともに、Ｖ座アタッチメント部２１’の押し出しレバー２１４が軸を中心に回転しＶ座１１を押すことによって、Ｖ座１１がＦの矢印方向に向かって移動し、Ｖ座アタッチメント部２１’から外れ手前に押し出される。
このように、ＦＰＵ装置１の本体底部に取り付けられたＶ座１１がＶ座アタッチメント部２１’から外れることによって、雲台部２上部のＶ座アタッチメント部２１’に固定されていたＦＰＵ装置１を三脚３から取り外すことができる。
【０００６】
また、図３の（ｄ）図に示すように、Ｖ座アタッチメント部２１’のロック解除レバー２１２’のＤ部切り欠き部に引っ掛けていた指を外すことで、Ｖ座アタッチメント部２１’内部のバネ機構によって、Ｖ座アタッチメント部２１’のロック解除レバー２１２’は元の位置（（ａ）図と同様）に戻るとともに、Ｖ座アタッチメント部２１’の２箇所の爪２１３と押し出しレバー２１４も元の位置（（ａ）図と同様）に戻るようになっている。
【０００７】
【特許文献１】発見されていない
【発明の開示】
【発明が解決しようとする課題】
【０００８】
しかし、図２に示すように、三脚３の雲台部２のＶ座アタッチメント部２１’と比較するとＦＰＵ装置１の本体底部の面積の方が広いため、ＦＰＵ装置１の雲台部２への着脱操作時、Ｖ座アタッチメント部２１’のロック解除レバー２１２’が死角範囲にあって見え難く、操作がやり難い。
ＦＰＵ装置１の装着時は、ＦＰＵ装置１の本体底部に取り付けたＶ座１１の位置を雲台部２のＶ座アタッチメント部２１’のＶ形状凹部に少しずらせて位置合わせを行い、そのまま奥に押し込むことでワンタッチ動作で取り付けができる。
しかし、取り外し時は、ロック解除レバー２１２’を回転動作させる必要があり、ロック解除レバー２１２’を操作する指がＦＰＵ装置１の本体底部に接触する恐れがあり危険であるという問題があった。
【０００９】
本発明は、このような従来の事情に鑑みなされたものであり、三脚雲台部のロック解除レバーを操作する際に、操作する指が取り外そうとする電子機器と接触しないようにすることで、安全で操作性に優れた三脚に電子機器を取り付けるための装置を提供することを目的とする。
【課題を解決するための手段】
【００１０】
上述した課題を解決し、目的を達成するため、本発明の請求項１に係る三脚に電子機器を取り付けるための装置は、電子機器の底部に取り付けたプレートと、該プレートがスライド挿入される凹部を有し、前記プレートが前記凹部にスライド挿入される際に、前記プレートの両側面と前記凹部との間で左右方向及び上下方向の動きを規制する嵌合が為されるとともに、前記プレートが前記凹部の奥まで挿入された時に前後方向の動きを規制するロック機構を備えたベースとで構成される三脚に電子機器を取り付けるための装置において、前記ベースが、前記プレートが挿入される前記凹部手前側に、軸を中心に前記ベースと平行に手前方向に回転動作することで前記ロック機構を解除するためのロック解除レバーを有するベースであって、該ロック解除レバーを指で操作する箇所が下方向のみ開放された袋形状であることを特徴とする。
【発明の効果】
【００１１】
本発明によれば、三脚雲台部のロック解除レバーを操作する際に、操作する指が取り外す電子機器と接触しないようにすることができ、安全で操作性に優れた三脚に電子機器を取り付けるための装置を提供することができるという効果がある。  
【発明を実施するための最良の形態】
【００１２】
本発明の実施の形態を、図面を参照して詳述する。
図１の（ａ）図は、本発明の実施の形態に係り、三脚雲台部のＶ座アタッチメント部の構造を示す斜視図である。
図１の（ｂ）図は、図１の（ａ）図に示したＶ座アタッチメント部のロック解除レバーのＡ−Ａ線に沿う断面図である。
尚、構成中、図２及び図３と同じ部番のものは従来と同様のものである。
【００１３】
図１に示すように、本発明の実施の形態に係る三脚雲台部のＶ座アタッチメント部２１は、ロック解除レバー２１２と、ベース２１１と、ベース２１１のＶ形状の凹部に設けられ、ロック解除レバー２１２を手前に引っ張ることで、ベース２１１内部にあるカム機構によって引っ込む爪２１３（図示せず）と、同じく、ロック解除レバー２１２を手前に引っ張ることで、軸を中心に回転動作する押し出しレバー２１４とから構成されている。  しかし、ロック解除レバー２１２以外は、全て従来のＶ座アタッチメント部と同様の構成となっている。
また、ロック解除レバー２１２は、図１及び図２に示すように、下方のみ開放状態となった袋形状となっている。
つまり、雲台部２上部のＶ座アタッチメント部２１に固定されるＦＰＵ装置１を三脚３から取り外す際に、ロック解除レバー２１２のＢ部凹部に指を入れて回転操作を行うことになり、操作する指がロック解除レバー２１２の上方に突き出ることがなく、取り外そうとするＦＰＵ装置１の本体底部と接触する危険性はなくなる。
【図面の簡単な説明】
【００１４】
【図１】（ａ）図は、本発明の実施の形態に係り、三脚雲台部のＶ座アタッチメント部の構造を示す斜視図であり、（ｂ）図は、図１の（ａ）図に示したＶ座アタッチメント部のロック解除レバーのＡ−Ａ線に沿う断面図である。
【図２】ＦＰＵ装置を三脚に取り付けて使用する場合の構成を示す図である。
【図３】従来のＶアタッチメント方式でＦＰＵ装置１を雲台部２に固定した場合の取り外し方を説明するための説明図である。
【符号の説明】
【００１５】
１：ＦＰＵ装置、
１１：Ｖ座、
１１１：切り欠き部、
２：雲台部、
２１：Ｖ座アタッチメント部、
２１’：Ｖ座アタッチメント部、
２１１：ベース、
２１２：ロック解除レバー、
２１２’：ロック解除レバー、
２１３：爪、
２１４：押し出しレバー、
３：三脚。
【図１】
2009097685.tif 000003
【図２】
2009097685.tif 000004
【図３】
2009097685.tif 000005